(57)【要約】【課題】挟持力の維持を図り、構造を簡略化して製作コストを抑えた合成樹脂製クリップを提供すること。【解決手段】一対の合成樹脂製のバネクリップ片２とバネ受入れクリップ片４で先端部に挟持部Ｃを形成すると共に後端部に押圧操作部Ｈを形成し、バネクリップ片２にバネ部材１６を一体形成すると共に、バネ受入れクリップ片４にバネ部材１６の端部を受け入れる嵌合孔１０を形成し、嵌合孔１０の上端にバネ部材１６に形成した係止溝２２に係合する可撓性係止突部１２を形成した構成とすることで、挟持力が低下することなく、しかも枢着構造を改めて形成する必要がないクリップを提供できる。【選択図】  図３
2004183754.tif 000002
【特許請求の範囲】
【請求項１】
先端部に挟持部を形成し、後端部に押圧操作部を形成した一対の合成樹脂製のクリップ片がバネ部材により連結された合成樹脂製のクリップであって、前記バネ部材は一方のクリップ片に一体形成され、他方のクリップ片は前記バネ部材の端部を受け入れる嵌合孔が形成されていると共に、前記バネ部材に形成した係止溝に係合する可撓性係止突部が形成されていることを特徴とする合成樹脂製クリップ。
【請求項２】
前記嵌合孔にはバネ部材のための嵌入停止段部が形成されている請求項１に記載の合成樹脂製クリップ。
【請求項３】
前記バネ部材は、前記可撓性係止突部に対応する側面に前記バネ部材の端部側から前記係止溝に連絡するガイド溝が形成されている請求項１または２に記載の合成樹脂製クリップ。
【請求項４】
前記他方のクリップ片にはその一部に平坦面が形成され、該平坦面端部に徽章台座プレート用の係止突部が設けられている請求項１ないし３の何れかに記載の合成樹脂製クリップ。
【発明の詳細な説明】
【０００１】
【発明の属する技術分野】
本発明は、バネ力により一対のクリップ片の各挟持部で被挟持体を挟み、各挟持部をバネ力に抗して離間させることで、被挟持体への挟持状態を開放する合成樹脂製クリップに関する。
【０００２】
【従来の技術】
この種の合成樹脂製クリップとして、一対のクリップ片を一体化したヘヤピン状のものが知られている（特許文献１参照）。このものは部品点数が一つであるので製作や取り扱いに便利であるが、クリップ自体の撓み力で把持させているので挟持力が弱くまた、何回か使用すると挟持力の低下がみられた。これに対し、挟持力の強いバネ部材を一対のクリップ片の間に形成し、両クリップ片を枢着したものも知られている（特許文献２参照）。
【０００３】
【特許文献１】
実公平７−３１６８８号公報（第２頁、図１）
【特許文献２】
実願平３−７２８８７号（実開閉８−１０８８号公報）のマイクロフィルム（第３，４頁、図２，４）
【０００４】
【発明が解決しようとする課題】
しかしながら、特許文献２に記載のものは挟持力は保持されるが、支点の一方側でのバネ部材の開放力を支点の反対側において挟持力に変えているために、両クリップ片を枢着支持させるための構造を形成する必要があり、しかも両クリップ片及びバネ部材が一体的に構成されているので、製作コストも高くならざるを得なかった。
【０００５】
本発明はこのような状況に鑑みてなされたもので、挟持力の維持を図り、構造を簡略化して製作コストを抑えた合成樹脂製クリップを提供することを目的とする。
【０００６】
【課題を解決するための手段】
上記目的を達成するために、本発明の合成樹脂製クリップは、先端部に挟持部を形成し、後端部に押圧操作部を形成した一対の合成樹脂製のクリップ片がバネ部材により連結された合成樹脂製のクリップであって、前記バネ部材は一方のクリップ片に一体形成され、他方のクリップ片は前記バネ部材の端部を受け入れる嵌合孔が形成されていると共に、前記バネ部材に形成した係止溝に係合する可撓性係止突部が形成されていることを特徴としている。
この特徴によれば、バネ部材により挟持力が低下することなく保持され、しかも可撓性係止突部が両クリップの取付けを兼ねており、枢着構造を改めて形成する必要がなく、製作コストを抑えることができる。
【０００７】
本発明の合成樹脂製クリップは、前記嵌合孔にはバネ部材のための嵌入停止段部が形成されていることが好ましい。
このようにすれば、両クリップ片の組み付けの際に、嵌入停止段部がバネ部材を挿入深さを決める位置基準となるので組み付けが容易であり、また組み付け後は嵌入停止段部と係止溝に係合した可撓性係止突部とで両クリップのがたつきが防止できる。
【０００８】
本発明の合成樹脂製クリップは、前記バネ部材は、前記可撓性係止突部に対応する側面に前記バネ部材の端部側から前記係止溝に連絡するガイド溝が形成されていることが好ましい。
このようにすれば、一方のクリップ片に他方のクリップ片を連結する際に、可撓性係止突部がガイド溝に案内されるので該可撓性係止突部を容易に係止溝に係合することができる。
【０００９】
本発明の合成樹脂製クリップは、前記他方のクリップ片にはその一部に平坦面が形成され、該平坦面端部に徽章台座プレート用の係止突部が設けられていることが好ましい。
このようにすれば、徽章台座プレートを係止突部に当接してクリップ片の平坦面に接着等で固定することで、徽章クリップとして使用することも可能である。
【００１０】
【発明の実施の形態】
本発明の実施形態について図面を参照して説明する。
【００１１】
図１は本発明の一実施形態に係る合成樹脂製クリップの全体斜視図、図２はその側面図、図３は合成樹脂製クリップを長手方向に切断した断面図、図４は図２の平面図、図５は一方のバネクリップ片の平面図、図６は係止溝に係合する状態を示す可撓性係止突部の部分斜視図であり、図７は一方のバネクリップ片の底面図である。
【００１２】
図１、図２に示す符号１は合成樹脂製クリップ（以下クリップと称する）であって、このクリップ１は、一方のバネクリップ片２と他方のバネ受入れクリップ片４から成り、これらバネクリップ片２とバネ受入れクリップ片４は、それぞれ合成樹脂で一体成形されており、バネ部材を介して連結されている。
【００１３】
クリップ１は、その先端にバネ部材１６を介して互いに押圧付勢される狭持部Ｃを有すると共に、その後端には押圧付勢される狭持部Ｃを開放操作する押圧操作部Ｈが設けられている。
【００１４】
詳しくは、バネ受入れクリップ片４は、平面視矩形状の所定板厚の板材で形成さてれており、押圧操作部Ｈ側には所定高さのボス部８が突設しており、ボス部８の内部には、図３及び図６に示すように、横長矩形状の嵌合孔１０が貫通形成されており、この嵌合孔１０上端の後方には嵌合孔１０の内部に向く可撓性係止突部１２が突設すると共に、嵌合孔１０の下端にはバネ部材１６の下端部を支持する嵌入停止段部１０ａが内部に向けて突設している。
【００１５】
更に、バネ受入れクリップ片４は、バネクリップ片２に対向する上面に、その先端からボス部８に至る平坦面４ａが形成されており、ボス部８の上端には平坦面に対し所定高さを有する徽章台座プレート用の係止突部７が狭持部Ｃに向けて形成されている。また、バネ受入れクリップ片４の底面も平坦状に形成されており、この底面を例えば徽章台座プレートに取り付けた徽章の取付け面として使用することができる。
【００１６】
一方、バネクリップ片２は、図３及び図７に示すように平面視矩形状の所定板厚の板材で形成されており、狭持部Ｃとなる先端部にバネ受入れクリップ片４の対向面に向く湾曲部が形成されており、湾曲部のバネ受入れクリップ片４に対向する押圧面には摩擦力を得るために複数の突条部２４が配設されている。
【００１７】
バネクリップ片２後方の押圧操作部Ｈ側には、図３，４に示すように、長手方向に沿った一対の長孔１５ａ，１５ｂが並設され、これら長孔１５ａ，１５ｂの後端は横長の連通口１５を介して連通すると共に、両長孔１５ａ，１５ｂの間に形成される板状のバネ部材１６は、その後方からバネ受入れクリップ片４の対向面に向けて突出するよう所定曲率で折曲形成されている。
【００１８】
そして、図６に示すように、バネ部材１６の折曲形成された下端部内側には、段付き溝１８が形成されると共に折曲形成された外側面には、その上方に形成された係止溝２２に下端部側から連絡するガイド溝２０が形成されている。
【００１９】
更に、バネクリップ片２上面の連通口１５の両側には、図２、３及び図４に示すように、凹溝１４ａ，１４ｂが形成されており、連通口１５の上部に臨むようにフック１７が形成され、フック１７の先端にはその下方に湾曲形成された舌片１７ａが突出し、側面視両凹溝１４ａ，１４ｂとその上に位置するフック１７により形成される掛止部の横から例えば安全ピンを係止することができる。
【００２０】
次に、本発明クリップの組立手順に付き説明する。
【００２１】
先ず、図６に示すバネ受入れクリップ片４の嵌合孔１０に、バネクリップ片２のバネ部材１６の下端部を挿入するに際し、可撓性係止突部１２をガイド溝２０に挿入した状態でバネクリップ片２を下方に押圧することでバネ部材１６が嵌合孔１０の内部に挿入される。
【００２２】
バネ部材１６は、その下端を嵌合孔１０の内部に挿入する際に、可撓性係止突部１２の先端をガイド溝２０に挿嵌した状態でバネクリップ片２を下方に押圧する動作により、ガイド溝２０が可撓性係止突部１２の先端により案内されつつ嵌合孔１０の内部に進入して下端の段付き溝１８が嵌入停止段部１０ａに係止すると同時に、可撓性係止突部１２の先端はガイド溝２０の上部終端に形成された係止溝２２に係合し、バネ受入れクリップ片４とバネクリップ片２が互いに連結される。
【００２３】
この連結によって、バネクリップ片２は、バネ部材１６の係止溝２２に対し可撓性係止突部１２が押圧変形した状態で弾力的に係合することによって、狭持部Ｃとなる先端部に押圧力が付勢され、両クリップ片２，４の狭持部Ｃに狭持力が付与される。
【００２４】
そこで、上記のように構成されたクリップ１を使用する一例として、バネ受入れクリップ片４側の平坦面４ａに予め徽章などが取り付けられた徽章台座プレートを係止突部７に挟み込んだ状態で接着する。そして、クリップ１の押圧操作部Ｈを押圧することで、狭持部Ｃをバネ部材１６の付勢力に抗して押し開き、これを例えば使用者の着用する衣類の一部（ポケット等）に挿入狭着することで徽章保持クリップとして使用することができる。
【００２５】
従って、上記のように構成されたクリップ１によれば、バネ部材１６により挟持力が低下することなく保持され、しかも可撓性係止突部１２が両クリップ片２，４の取付けを兼ねており、枢着構造を改めて形成する必要がなく、製作コストを抑えることができる。
【００２６】
また、バネ受入れクリップ片４の嵌合孔１０には、バネ部材１６のための嵌入停止段部１０ａが形成されているので、両クリップ片２，４の組み付けの際に、嵌入停止段部１０ａがバネ部材１６の挿入深さを決める位置基準となるため、組み付けが容易であり、また組み付け後は嵌入停止段部１０ａと係止溝２２に係合した可撓性係止突部１２で両クリップ２，４のがたつきが防止できる。
【００２７】
更にバネ部材１６は、可撓性係止突部１２に対応する側面にその端部側から係止溝２２に連絡するガイド溝２０が形成されているので、両クリップ片２，４を連結する際に、可撓性係止突部１２がガイド溝２０に案内されるため、この可撓性係止突部１２を容易に係止溝２２に係合することができる。
【００２８】
そして、バネ受入れクリップ片４のバネクリップ片２に対向する上面に、その先端からボス部８に至る平坦面４ａが形成され、この平坦面に対し所定高さを有する徽章台座プレート用の係止突部７が狭持部Ｃに向けて形成されているので、徽章台座プレートを係止突部７に当接した状態でバネ受入れクリップ片４の平坦面４ａに接着等で固定することで、徽章用クリップとして使用することが可能となる。
【００２９】
尚、上記実施形態で示された構成のクリップは、徽章用のクリップとして説明したが、徽章に限らずネームプレートや商品カード等の取付用として使用することも可能である。
【００３０】
【発明の効果】
本発明は以下の効果を奏する。
【００３１】
（ａ）請求項１項の発明によれば、バネ部材により挟持力が低下することなく保持され、しかも可撓性係止突部が両クリップの取付けを兼ねており、枢着構造を改めて形成する必要がなく、製作コストを抑えることができる。
【００３２】
（ｂ）請求項２項の発明によれば、両クリップ片の組み付けの際に、嵌入停止段部がバネ部材を挿入深さを決める位置基準となるので組み付けが容易であり、また組み付け後は嵌入停止段部と係止溝に係合した可撓性係止突部とで両クリップのがたつきが防止できる。
【００３３】
（ｃ）請求項３項の発明によれば、一方のクリップ片に他方のクリップ片を連結する際に、可撓性係止突部がガイド溝に案内されるので該可撓性係止突部を容易に係止溝に係合することができる。
【００３４】
（ｄ）請求項４項の発明によれば、徽章台座プレートを係止突部に当接してクリップ片の平坦面に接着等で固定することで、徽章クリップとして使用することも可能である。
【図面の簡単な説明】
【図１】本発明の一実施形態に係る合成樹脂製クリップの全体斜視図である。
【図２】同様にその側面図である。
【図３】合成樹脂製クリップを長手方向に切断した断面図である。
【図４】図２の平面図である。
【図５】一方のバネクリップ片の平面図である。
【図６】係止溝に係合する状態を示す可撓性係止突部の部分斜視図である。
【図７】一方のバネクリップ片の底面図である。
【符号の説明】
１                    クリップ
２                    バネクリップ片（一方のクリップ片）
４                    バネ受入れクリップ片（他方のクリップ片）
４ａ                平坦面
７                    係止突部
８                    ボス部
１０                  嵌合孔
１０ａ                嵌入停止段部
１２                  可撓性係止突部
１４ａ，１４ｂ          凹溝
１５                  連通口
１５ａ，１５ｂ        長孔
１６                  バネ部材
１７                  フック
１７ａ                舌片
１８                  段付き溝
２０                  ガイド溝
２２                  係止溝
２４                  突条部
Ｃ                    狭持部
Ｈ                    押圧操作部
【図１】
2004183754.tif 000003
【図２】
2004183754.tif 000004
【図３】
2004183754.tif 000005
【図４】
2004183754.tif 000006
【図５】
2004183754.tif 000007
【図６】
2004183754.tif 000008
【図７】
2004183754.tif 000009